(57)【要約】      【課題】現在行われているゴミのカラスや猫対策は、シートやネットをゴミ袋にかぶせるだけで、下の隙間からカラスの侵入を防げなかったので、散らかったゴミの後始末が大変であった。      【解決手段】そのため本考案は、ネットを袋状にし蓋を閉める形状にすることにより、カラスなどの下からの侵入のみならず、左右上下からの進入による食いち散らかし被害を防ぐものである．【選択図】図４
0003110320.tif 000002
【実用新案登録請求の範囲】
【請求項１】
市販の防風用ネットなど網目状ネットを縫い上げて袋状にし、袋の入り口部分の両端を縫いつけ、さらに蓋になる部分に布を縫いつける。そして蓋になる部分と両端の縫いつけた部分に市販のフックまたはひも付き洗濯ばさみを付けて、蓋を袋の腹部に止めれるようにすることを特徴とするゴミ収納用の袋タイプネット。
【考案の詳細な説明】
【技術分野】
【０００１】
本考案は、カラスやネコの被害を防ぐためのゴミ収納用の袋タイプネットに関する。
【背景技術】
【０００２】
現在行われているゴミのカラスやネコ対策は、市販のシートやネットをゴミ袋にかぶせるだけであった。
【考案の開示】
【考案が解決しようとする課題】
【０００３】
現在行われているゴミのカラスやネコ対策は、市販のシートやネットをゴミ袋にかぶせるだけで、カラスなどがシートの下の隙間から生ゴミを引きずり出すので、散らかすことを防げなかった。
【課題を解決するための手段】
【０００４】
そのため本考案は、ネットを袋状にし蓋を閉める形状にすることにより、カラスなどの下からの進入のみならず、左右上下からの進入による食い散らかし被害を防ぐものである。
なお入り口を閉める方法としては、市販のフックやひも付き洗濯ばさみの代わりに市販のマジックテープ（登録商標）を蓋になるネットと腹部になる部分に取り付けることにより蓋を開け閉めする方法と、入り口部分に市販のファスナーを取り付けて開け閉めする方法がある。
【考案の効果】
【０００５】
ゴミ回収者が簡単にゴミ袋をネットから取り出せて、ゴミ当番の後片づけも楽になる。
【考案を実施するための最良の形態】
【０００６】
市販の防風用ネットなど網目状ネットを材料にできる。袋状にする方法としては縫い上げる方法のほか、圧熱接着の方法もある。
道路上にゴミ袋を置く場合もあり得るので、硬いものや視界を遮るものは、材料にしない。
【実施例】
【０００７】
以下、本考案の実施例を添付図面に基づいて説明する。
市販の防風ネット１（例えば網目感覚が４ミリ、長さが５メートル、幅が２メートル）を図１に示すように、幅２メートルの部分２を５センチ程度重ねて縫いつける。布をあてがってから縫っても良い。同じように、図２に示すように、そこになる部分３も重ねて縫いつける。その後、袋状になった内側と外側を裏返して、縫い目が袋の中側に入るようにする。
つぎに、図３に示すように、袋の入り口部分の輪になっている部分の両側を数十センチ縫いつけて、蓋になる部分４を作る。さらに、入り口部分の後ろ側のをカラフルな布をあてがって縫いつけて、蓋になる部分の目印５を作る。
市販されている網の隙間に入る太さのフック６、あるいはひも付き洗濯ばさみ６を図３の位置あたりに固定することにより、カラスなどの被害を防ぐゴミ収納用の袋タイプネットができあがる。
図４に示すように、ゴミ袋を本考案の袋タイプネットの中に入れたら蓋になる部分４と５を手前にかぶせて、フック６を前面の網の隙間に引っかけるか、ひも付き洗濯ばさみ６を全面の網の腹部に止めるかすることにより、入り口は閉ざされる。
ゴミ袋を本考案ネットの中に入れると、ネットの底の両端部分７が外側に張り出すので、ゴミ回収者が７を持ち上げることにより、中のゴミ袋を簡単に出すことが出来る。
フック６またはひも付き洗濯ばさみ６の代わりに市販のマジックテープ（登録商標）を取り付けることによって蓋を開け閉めする方法もあり、また、図５のように袋の入り口部分に市販のファスナー８を取り付けることにより開け閉めする方法もある。
【産業上の利用可能性】
【０００８】
ゴミを出す人と回収する人の両方に便利な製品である。
【図面の簡単な説明】
【０００９】
【図１】市販の防風ネットなどを輪にして、縫いつけることを説明した正面図である。
【図２】市販防風ネットなどの輪の底の部分を縫いつけて、袋状にすることを説明した正面図である。
【図３】袋状になったネットの上の輪になっている部分の両端を縫いつけて蓋のなる部分４とセンターの蓋になる部分５を作り、フック６あるいはひも付き洗濯ばさみ６を付けた完成品の正面図である。
【図４】完成品の使い方を説明した正面図である。
【図５】袋になったネットの入り口部分に市販のファスナー８を取り付けた状態を説明した図である。
【符号の説明】
【００１０】
１  市販の防風ネットなど網目状のもの。
２  ネットを輪にするために重ねて縫いつける部分。
３  ネットを袋状にするために重ねて縫いつける部分（底になる部分）。
４  袋状ネットの両端の蓋になる部分。
５  袋状ネットの入り口のセンター付近の、蓋になる部分。
６  引っかけようフック、あるいは蓋を止めるひも付き洗濯ばさみ。
７  ゴミ袋を袋状ネットから取り出すときに持ち上げる、底の両端部分。
８  市販のファスナー
【図１】
0003110320.tif 000003
【図２】
0003110320.tif 000004
【図３】
0003110320.tif 000005
【図４】
0003110320.tif 000006
【図５】
0003110320.tif 000007
【手続補正書】
【提出日】平成16年10月13日(2004.10.13)
【手続補正１】
【補正対象書類名】実用新案登録請求の範囲
【補正対象項目名】請求項１
【補正方法】変更
【補正の内容】
【請求項１】
（１）防風ネットなど網目状ネットを縫い上げて袋状にし、袋の入り口部分の両端を縫いつけ、さらに蓋になる部分に布を縫いつける。（２）蓋の部分を袋になったネットの腹部に止めるため、袋の入り口部分の両端と蓋になる部分に、ひも付き洗濯ばさみまたはフックを付ける。以上の工程から出来上がるゴミ収納用の袋タイプネット
【手続補正２】
【補正対象書類名】明細書
【補正対象項目名】０００４
【補正方法】変更
【補正の内容】
【０００４】
そのため本考案は、防風ネットなど網目状ネットを袋状にし蓋を閉める形状にすることにより、カラスなどの下からの進入のみならず、上下左右からの進入による食い散らかし被害を防ぐものである。
なお入り口を閉める方法としては、ひも付き洗濯ばさみやフックの代わりにマジックテープ（登録商標）を蓋になるネットと腹部になる部分に取り付けることにより蓋を開け閉めする方法と、入り口部分にファスナーを取り付けて開け閉めする方法がある。
【手続補正３】
【補正対象書類名】明細書
【補正対象項目名】０００６
【補正方法】変更
【補正の内容】
【０００６】
防風ネットなど網目状ネットを材料にできる。袋状にする方法としては縫い上げる方法のほか、圧熱接着の方法もある。
道路上に本考案のゴミ収納用の袋タイプネットを置く場合もあり得るので、堅い物や視界を遮る物を材料にしない。
【手続補正４】
【補正対象書類名】明細書
【補正対象項目名】０００７
【補正方法】変更
【補正の内容】
【０００７】
以下、本考案の実施例を添付図面に基づいて説明する。
防風ネットなど網目状ネット１（たとえば編目間隔が４ミリメートル、長さが５メートル、幅が２メートル）を図１に示すように、幅２メートルの部分２を５センチメートル程度重ねて縫いつける。布をあてがってから縫いつけても良い。同じ方法で、図２に示すように底になる部分３も重ねて縫いつける。その後、袋状になった内側と外側を裏返して、縫い目が袋の内側に入るようにする。
次に、図３に示すように、袋の入り口部分の輪になっている部分の両端を数十センチメートル縫いつけて、蓋になる部分４を作る。さらに、入り口部分の蓋になる部分に布をあてがって縫いつけ、蓋の目印５を作る。
ひも付き洗濯ばさみ６，あるいは網の隙間に入る太さのフック６を図３の位置に取り付けることにより、カラスなどの被害を防ぐゴミ収納用の袋タイプネットが出来上がる。
図４に示すように、ゴミ袋を本考案の袋タイプネットの中に入れたら蓋になる部分４と５を手前にかぶせて、ひも付き洗濯ばさみ６を本考案の袋タイプネット前面の腹部に止めるか、あるいはフック６を前面腹部の隙間にひっかけることにより、入り口は完全に閉ざされる。
ゴミ袋を本考案の袋タイプネットの中に入れると、ネットの底の部分７が外側に張り出すので、ゴミ回収者が７を持ち上げることにより、中のゴミ袋を簡単に出すことができる。  ひも付き洗濯ばさみあるいはフック６の代わりにマジックテープ（登録商標）を取り付けることによって蓋を閉める方法もあり、また、図５のように袋の入り口部分にファスナー８を取り付けることによって開け閉めする方法もある。
【手続補正５】
【補正対象書類名】明細書
【補正対象項目名】０００９
【補正方法】変更
【補正の内容】
【０００９】
【図１】防風ネットなど網目状ネットを輪にして、縫いつけることを説明した正面図である。
【図２】防風ネットなど網目状ネットの輪の底の部分を縫いつけて、袋状にすることを説明した正面図である。
【図３】袋状になったネットの上の輪になっている部分の両端を縫いつけて蓋になる部分４とセンターの蓋になる部分５を作り、フックを付けた完成品の正面図である．
【図４】完成品の使い方を説明した正面図である．
【図５】袋になったネットの入り口部分にファスナー８を取り付けた状態を説明した正面図である。
【手続補正６】
【補正対象書類名】明細書
【補正対象項目名】００１０
【補正方法】変更
【補正の内容】
【００１０】
１  防風ネットなど網目状ネット
２  ネットを輪にするために重ねて縫いつける部分
３  ネットを袋状にするために重ねて縫いつける部分（底になる部分）
４  袋状ネットの両端の蓋になる部分
５  袋状ネットの入り口のセンター付近の、蓋になる部分
６  蓋を止めるひも付き洗濯ばさみ、あるいは引っかけ用のフック
７  ゴミ袋を袋状ネットから取り出すときに持ち上げる、底の両端部分
８  ファスナー
【手続補正書】
【提出日】平成17年3月18日(2005.3.18)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
（１）防風ネットなど網目状ネットが縫い上げられて袋状になった構造。（２）袋の入り口の両端部分が縫い上げられて、蓋になる箇所に布が縫いつけられた構造。（３）袋の入り口部分の両端と蓋になる部分に、蓋を袋状ネット腹部に止め付けるためのひも付き洗濯ばさみ又はフックが付けられた構造。以上からなるゴミ収納用の袋タイプネット。
【手続補正２】
【補正対象書類名】手続補正書
【補正対象項目名】手続補正７
【補正方法】削除
【補正の内容】